(57)【要約】      （修正有）【課題】軽量化および高強度のメリットを有するスパナを提供する。【解決手段】本体を含み、本体は、握り部１と、該握り部と連結する少なくとも一つの駆動部２とを含み、本体がアルミ合金で作製されたものであり、本体の全部の表面に陽極処理層が覆われ、アルミ合金は、珪素、鉄、銅、マンガン、マグネシウム、クロム、亜鉛、チタンとアルミから構成される。【選択図】図１
0003159484.tif 000002
【実用新案登録請求の範囲】
【請求項１】
本体を含み、前記本体は、握り部と、前記握り部と連結する少なくとも一つの駆動部と、を含み、前記本体がアルミ合金で作製されたものであり、前記本体の全部の表面に陽極処理層が覆われ、前記アルミ合金は、珪素、鉄、銅、マンガン、マグネシウム、クロム、亜鉛、チタンとアルミから構成されることを特徴とするスパナ。
【請求項２】
珪素は前記アルミ合金の重量の０〜１％を占め、鉄は前記アルミ合金の重量の０〜１％を占め、銅は前記アルミ合金の重量の１〜５％を占め、マンガンは前記アルミ合金の重量の０〜１％を占め、マグネシウムは前記アルミ合金の重量の２〜５％を占め、クロムは前記アルミ合金の重量の０〜１％を占め、亜鉛は前記アルミ合金の重量の５〜９％を占め、チタンは前記アルミ合金の重量の０〜１％を占め、前記アルミ合金の上記以外の重量パーセントがアルミに占められることを特徴とする、請求項１に記載のスパナ。
【請求項３】
珪素は前記アルミ合金の重量の０〜０．５％を占め、鉄は前記アルミ合金の重量の０〜０．６％を占め、銅は前記アルミ合金の重量の１〜３％を占め、マンガンは前記アルミ合金の重量の０〜０．５％を占め、マグネシウムは前記アルミ合金の重量の２〜４％を占め、クロムは前記アルミ合金の重量の０〜０．５％を占め、亜鉛は前記アルミ合金の重量の６〜８％を占め、チタンは前記アルミ合金の重量の０〜０．５％を占めることを特徴とする、請求項２に記載のスパナ。
【請求項４】
前記駆動部は、二つの挟み顎を含むことを特徴とする、請求項１乃至３のうちの何れかの一つに記載のスパナ。
【請求項５】
前記二つの挟み顎は、一つが固定顎であり、一つが自在顎であることを特徴とする、請求項４に記載のスパナ。
【請求項６】
前記駆動部はリング形状を呈し、駆動リングは、前記駆動部内に配され、駆動対象物を駆動するためのものであり、噛合ブロックは、前記駆動リングと前記駆動部の間に配され、前記駆動リングとの間に歯部が多数設けられ、前記噛合ブロックの歯部は、前記駆動リングの任意の歯部と噛合い可能であることを特徴とする、請求項１乃至３のうちの何れかの一つに記載のスパナ。
【請求項７】
前記駆動リングと前記噛合ブロックは、鋼材で作製されたものであることを特徴とする、請求項６に記載のスパナ。
【考案の詳細な説明】
【技術分野】
【０００１】
本考案は手工具に係り、特にスパナに関するものである。
【背景技術】
【０００２】
従来のスパナは、鋼材で作製されたものであるため、その表面処理が鍍金を採用することが多い。そうすると、従来のスパナは、表面の顔色が限定され、重量がより重いため、在庫、運輸および利用が極めて不便であった。
【考案の概要】
【考案が解決しようとする課題】
【０００３】
そこで、本考案の主な目的は、軽量化および高強度のメリットを有するスパナを提供することにある。
【課題を解決するための手段】
【０００４】
本考案のスパナによると、本体を含み、前記本体は、握り部と、前記握り部と連結する少なくとも一つの駆動部と、を含み、前記本体がアルミ合金で作製されたものであり、前記本体の全部の表面に陽極処理層が覆われ、前記アルミ合金は、珪素、鉄、銅、マンガン、マグネシウム、クロム、亜鉛、チタンとアルミから構成されることを特徴とする。
【０００５】
本考案のスパナによると、珪素は前記アルミ合金の重量の１％以下を占め、鉄は前記アルミ合金の重量の１％以下を占め、銅は前記アルミ合金の重量の１〜５％を占め、マンガンは前記アルミ合金の重量の１％以下を占め、マグネシウムは前記アルミ合金の重量の２〜５％を占め、クロムは前記アルミ合金の重量の１％以下を占め、亜鉛は前記アルミ合金の重量の５〜９％を占め、チタンは前記アルミ合金の重量の１％以下を占め、前記アルミ合金の上記以外の重量パーセントがアルミに占められることを特徴とする。
【０００６】
本考案のスパナによると、珪素は前記アルミ合金の重量の０．５％以下を占め、鉄は前記アルミ合金の重量の０．６％以下を占め、銅は前記アルミ合金の重量の１〜３％を占め、マンガンは前記アルミ合金の重量の０．５％以下を占め、マグネシウムは前記アルミ合金の重量の２〜４％を占め、クロムは前記アルミ合金の重量の０．５％以下を占め、亜鉛は前記アルミ合金の重量の６〜８％を占め、チタンは前記アルミ合金の重量の０．５％以下を占めることを特徴とする。
【０００７】
本考案のスパナによると、前記駆動部は、二つの挟み顎を含むことを特徴とする。
【０００８】
本考案のスパナによると、前記二つの挟み顎は、一つが固定顎であり、一つが自在顎であることを特徴とする。
【０００９】
本考案のスパナによると、前記駆動部はリング形状を呈し、駆動リングは、前記駆動部内に配され、駆動対象物を駆動するためのものであり、噛合ブロックは、前記駆動リングと前記駆動部の間に配され、前記駆動リングとの間に歯部が多数設けられ、前記噛合ブロックの歯部は、前記駆動リングの任意の歯部と噛合い可能であることを特徴とする。
【００１０】
本考案のスパナによると、前記駆動リングと前記噛合ブロックは、鋼材で作製されたものであることを特徴とする。
【考案の効果】
【００１１】
本考案のスパナによれば、軽量化および高強度のメリットを有するという効果を有する。
【図面の簡単な説明】
【００１２】
【図１】本考案の好適な実施例の斜視図である。
【図２】本考案の好適な実施例の一部の断面図である。
【考案を実施するための形態】
【００１３】
以下、本考案の実施の形態を図面に基づいて説明する。
まず、図１及び図２を参照する。本考案のスパナは、本体を含み、前記本体は、握り部１と、握り部１と連結する少なくとも一つの駆動部２と、を含む。本実施例では、握り部１の両端に駆動部がそれぞれ連結され、駆動部は二つの挟み顎を含む。二つの挟み顎は、更に、一つが固定顎であり、一つが自在顎であってもよく、そうすると、自在スパナの態様が形成される。一方、本実施例の他の駆動部２はリング形状を呈し、駆動リング３は、駆動部２内に配され、ネジなどの駆動対象物を駆動するためのものであり、噛合ブロック４は、駆動リング３と駆動部２の間に配され、駆動リング３との間に歯部が多数設けられ、噛合ブロック４の歯部は、駆動リング３の任意の歯部と噛合い可能であり、そうすると、ラチェットレンチの態様が形成される。駆動リング３と噛合ブロック４は、鋼材で作製されたものであることが好ましい。もちろん、リング形状を呈する駆動部２は、その内部に多角穴を直接に形成してもよく、そうすると、駆動リングと噛合ブロックを別に組み付けずに、駆動対象物を駆動することができ、これはリングスパナの態様になる。
【００１４】
本考案では、前記本体がアルミ合金で作製されたものであり、前記アルミ合金は、珪素、鉄、銅、マンガン、マグネシウム、クロム、亜鉛、チタンとアルミから構成され、珪素は前記アルミ合金の重量の１％以下を占め、鉄は前記アルミ合金の重量の１％以下を占め、銅は前記アルミ合金の重量の１〜５％を占め、マンガンは前記アルミ合金の重量の１％以下を占め、マグネシウムは前記アルミ合金の重量の２〜５％を占め、クロムは前記アルミ合金の重量の１％以下を占め、亜鉛は前記アルミ合金の重量の５〜９％を占め、チタンは前記アルミ合金の重量の１％以下を占め、前記アルミ合金の上記以外の重量パーセントがアルミに占められる。
【００１５】
前記アルミ合金は、珪素は前記アルミ合金の重量の０．５％以下を占め、鉄は前記アルミ合金の重量の０．６％以下を占め、銅は前記アルミ合金の重量の１〜３％を占め、マンガンは前記アルミ合金の重量の０．５％以下を占め、マグネシウムは前記アルミ合金の重量の２〜４％を占め、クロムは前記アルミ合金の重量の０．５％以下を占め、亜鉛は前記アルミ合金の重量の６〜８％を占め、チタンは前記アルミ合金の重量の０．５％以下を占めることが好ましい。もちろん、前記アルミ合金の上記以外の重量パーセントがアルミに占められる。
【００１６】
表１を参照する。表１は本考案のスパナと従来のアルミ合金の引張強度の比較表である。
【００１７】
【表１】
0003159484.tif 000003
【００１８】
表１から明らかなように、本考案のスパナの引張強度は、７００Ｍｐａ以上であり、従来のアルミ合金の６０６１及び７００５の引張強度の２倍以上を超えるため、構造強度が極めて高い。
【００１９】
また、本考案のスパナは、その強度がスパナのトルクの国際標準に合うことができ、その重量が従来の鋼材で作製されたスパナの約４０％であり、これにより、在庫、運輸および利用が便利になる。特に、アルミ合金のリサイクルは鋼材よりも容易であるため、本考案のスパナは環境保全に優しい。
【００２０】
一方、本考案のスパナは、前記本体の表面が陽極処理され、更に、前記本体の表面の全部が陽極処理されることが好ましい。陽極処理により、前記本体の表面を各種の顔色にすることができ、これにより、本考案のスパナの表面は、ユーザの要求によって各種の顔色にすることができる。
【００２１】
なお、本考案は前記実施の形態に限定されるものではなく、本考案の趣旨に基づいて種々変形させることが可能であり、それらを本考案の範囲から排除するものではない。
【産業上の利用可能性】
【００２２】
本考案は、手工具に適用することができる。
【符号の説明】
【００２３】
１：握り部、２：駆動部、３：駆動リング、４：噛合ブロック。
【図１】
0003159484.tif 000004
【図２】
0003159484.tif 000005